(57)【要約】      （修正有）【課題】男女の交接でも身障者や中年およびストレス等により性交が勃起不全のため不可能になっている人が現実に多く、解決の方法および器具は多くあるが、一般人の性交はカップルだけの空間で行われるのであれば使用する器具の音もなく複雑な器具も使用せずに安全に目的を可能にする。【解決手段】円筒Ａの下部の滑面帯ＢにリングＣを装着した後、交接用潤滑剤をリング全体にくまなく塗布することによりリングは陰茎根部に容易に装着できる。【選択図】図１
0003136454.tif 000002
【実用新案登録請求の範囲】
【請求項１】
本考案は、ゴムリング絞結解除ついては本人出願の特願２００４−１６０３０４の口腔吸引陰茎勃起器具の滑面帯に装着したゴムリングに交接用潤滑剤を塗布しリングが勃起した陰茎根部に容易に密着を可能にするための滑面帯およびゴムリングと潤滑剤の組み合わせである。
【請求項２】
本考案は、陰茎の勃起が不必要となった時点で陰茎根部に装着された請求項１のゴムリングの絞結を解除するために上記の請求項１交接用潤滑剤を塗布された本結びのリングがその一端を引くことで絞結解除が容易に可能となるリングと交接用潤滑剤を組み合せたリング絞結解除に関する
【考案の詳細な説明】
【技術分野】
【０００１】  本考案は、交接用潤滑剤を使用して勃起した陰茎根部に絞結用のゴムリングが容易に装着できるに関する。【０００２】  本考案は、口腔吸引陰茎勃起器具により勃起した陰茎根部を血液の戻りを抑えるため本結びにしたゴムリングで絞結したゴムリングの結び目を解除するに関する。
【背景技術】
【０００３】  本考案は、従来の陰茎勃起補助具に関して実登３０８１３１３および３０３９２３３等効率の高いものがあるが使用を更に容易にするに関する。【０００４】  陰茎根部を絞め血液を滞留させるリング等を陰茎勃起行為の終了後にとり外すのに難点があった。
【考案の開示】
【考案が解決しようとする課題】
【０００５】  男女の交接でも身障者や中年およびストレス等により性交が勃起不全のため不可能になっている人が現実に多いが解決の方法および器具は多くあるが一般人の性交はカップルだけの空間で行われるのであれば使用する器具の音もなく複雑な器具も使用せずに安全に目的を可能にする。【０００６】  本考案は、勃起持続のため陰茎根部にゴムリングを容易に装着出来て事後そのリングを容易に外すことを課題とする。
【課題を解決するための手段】
【０００７】  本考案は、図１のＡの円筒の下部の図１Ｂの滑面帯に図１のＣのリングを装着した後交接用潤滑剤をリング全体にくまなく塗布することによりリングは陰茎根部に容易に装着できる。【０００８】  本考案の、ゴムリング絞結解除は上記の０００７の潤滑剤を塗布した本結びのゴムリングの一端を引くことでリングの絞結は容易に解除される
【考案の効果】
【０００９】  本考案の、０００７では高度の熟練を必要ともせず陰茎根部にリング装着でき所期の目的が容易に達せいされる。【００１０】  本考案の、ゴムリングは縄状および１重のものも容易に絞結が解除でき安全でもっとも簡易であることが証明された。
【考案を実施するための最良の形態】
【実施例】
【００１１】  本考案は、身障者または初老者その他のインポ関係者において使用の結果は陰毛を絡まないよう吸引を始める時点で陰茎を円筒に挿入する際に根部から円筒にはいらないように気をつけてすることにより行為が円滑に行われ請求項１及び請求項２が組み合わせがコンパクトであるので容易に結果が得られる。
【図面の簡単な説明】
【００１２】
【図１】吸引機の本体の円筒体である。
【図２】潤滑剤である。
【図３】リング誘導の滑面帯である。
【図４】絞結用リングである。
【符号の説明】
【００１３】  Ａ  吸引機本体
Ｂ  滑面帯
Ｃ  絞結用リング
Ｄ  潤滑剤
【図１】
0003136454.tif 000003
【図２】
0003136454.tif 000004
【図３】
0003136454.tif 000005
【図４】
0003136454.tif 000006
【手続補正書】
【提出日】平成18年6月7日(2006.6.7)
【手続補正１】
【補正対象書類名】明細書
【補正対象項目名】全文
【補正方法】変更
【補正の内容】
【考案の詳細な説明】
【技術分野】
【０００１】  本考案は、形状がストレート及びチュウブ及び波状等の異なった紐状のゴムを固く本結びに結ぶと固結された結びを解除することが非常に困難であるのでその固結を容易に解除することに関する。
【背景技術】
【０００２】  本考案は、ゴムの紐状のものを本結びに固く結ぶと結んだ箇所が食い込んで固定し紐の両端の何れかを引いても伸びるだけで解けない問題の解決に関する。
【考案の開示】
【考案が解決しようとする課題】
【０００３】
【０００４】  本考案は、紐状のゴムを固く結ぶと容易に解除できないので容易に解除できるかの課題に関する。【０００５】  本考案は、使用のため紐状のゴムを固く本結びにした当該のゴムを変質させずに容易に固結を解除することの課題に関する。
【課題を解決するための手段】
【０００６】  本考案の、ゴム固結解除は請求項１の潤滑剤を本結びの結び目から両端まで塗布し両端のいずれかを引くことで容易に解除されることに関する。【０００７】  本考案の、０００５の解決で石油製品及びアルコール等はゴムを変質させ人体にも影響があるが潤滑剤はゴム製品が変質しないこと人体に影響を及ぼさないことに関する。
【考案の効果】
【０００８】  本考案は、０００６の潤滑剤を塗布した紐の一端を引くと結び目が移動する際に潤滑剤が摩擦面に付いて滑るので容易に固結が解除される。【０００９】  課題とした０００５のゴム製品の変質は潤滑剤においては全く変質がなく、人体に悪影響が無く異臭も着色もなかった。【００１０】  本考案は、潤滑剤が揮発性も少なく塗布してからただちに乾燥することもなく相当時間効果が持続される。
【考案を実施するための最良の形態】
【実施例】
【００１１】  本考案は、固決解除に潤滑剤塗布を用いることで紐状のゴムの固決した結びが０００８及び００１０の理由で身障者を含め万人が簡単に解除できる、塗布の時期は使用前でも使用後でも大差がなく効果がある、本考案の最実例点は特に近年は陰ではあるが国民的課題となっているＥＤ問題を解決する手段の器具の部品として使われているリングで自己に合わせて製作したゴムリングと潤滑剤の組み合わせは良好な効果を得るほか、日常生活でも結束されたゴム紐の固結解除にも引用される。
【図面の簡単な説明】
【００１２】
【図１】紐状のゴムを二重にして結んだリングの正面図。
【図２】潤滑剤。
【図３】紐状のゴムを二重にして結んだリングの側面図。
【図４】紐状のゴムの原単体
【符号の説明】
【００１３】    Ａ  紐状のゴムの本体    Ｂ  結んだゴムの端    Ｃ  紐状のゴムの結び目    Ｄ  紐状のゴムのチューブ
【手続補正書】
【提出日】平成18年6月7日(2006.6.7)
【手続補正１】
【補正対象書類名】図面
【補正対象項目名】全図
【補正方法】変更
【補正の内容】
【図１】
0003136454.tif 000007
【図２】
0003136454.tif 000008
【図３】
0003136454.tif 000009
【図４】
0003136454.tif 000010
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、紐状のゴムを本結びに固く結ぶと結び目は容易に解除できないので本結びに固結された結び目を容易に解除するために出来たゴムリング等の結び目に潤滑剤を塗布することで結んだ紐状のゴムのいずれか一端を引くと固決された結びが容易に解除される紐状のゴムと潤滑剤の組み合わせに関する。
【手続補正書】
【提出日】平成18年10月3日(2006.10.3)
【手続補正１】
【補正対象書類名】実用新案登録請求の範囲
【補正対象項目名】全文
【補正方法】変更
【補正の内容】
【実用新案登録請求の範囲】
【請求項１】
本考案は、紐状のゴムチュウブを所定の直径の大きさに一回結び更にその両端で二回目の結びを同直径で一回目の結び目に対する側で本結びにした縄状の形状を有するゴムリングを元の紐状の形状に容易に戻す考案の縄状ゴムリングと潤滑剤の組み合わせに関する。
【手続補正書】
【提出日】平成18年10月3日(2006.10.3)
【手続補正１】
【補正対象書類名】明細書
【補正対象項目名】全文
【補正方法】変更
【補正の内容】
【考案の詳細な説明】
【技術分野】
【０００１】  何らかの理由亦は理由が不明で陰茎が勃起できない症例が多くなっている現今である、勃起の補助具としては陰茎に血液を充満させる手段としては外部からの吸引陰圧により陰茎に血液を充満させることによるものが多いが勃起後に陰茎に充満した血液を如何に滞留させるかが課題であった、本考案は使用器具を最小限とし物的消耗を縮小するため陰茎勃起器具に紐状のゴムチュウブ形状のものを結び方で縄状の形状を有するリングにして勃起器具により勃起して陰茎に充満した血液を有効に滞留させるか更にリングの装着及び取り外しのためのリングの解除が容易にできるかのことに関する。
【背景技術】
【０００２】  本考案は、陰茎勃起器具で吸引陰圧し勃起が完了した後陰茎の根部を絞め付けるリングに付いてであるがその方法には特開平０７−０５１３１２．特開平１１−０４７１７９．特開平１１−１３７５８８．実登３０８１３１３．実開平０６−０１３８１６等高度であるが使用器具が多い亦は使用リング等が一回限りのものもある。
【考案の開示】
【考案が解決しようとする課題】
【０００３】
【０００４】  本考案は、０００２に記した方法は多種であるが個人差がある陰茎の根部に各人が自己に合わせたサイズのリングが必要であり各人が自由に自己にあったものを作成できることを課題とする。【０００５】  本考案は、陰茎の根部に嵌めたリング等が簡単に取り外せてその物品が何度でも使用できること及びゴムを変質させず切断もせず、容易に陰茎根部の絞付が解除出来ることを課題する。
【課題を解決するための手段】
【０００６】  本考案の縄状ゴムリングは単体の紐状のゴムチュウブを一回結びその直径を個人の求める大きさの径に決め、更にその直径に合わせて紐状ゴムの両端で一より収縮力が増し弾力性が上ることにより取り扱い及び絞締効果が上るためであるが此れを解除するために請求項１の縄状ゴムリングとゼリー状潤滑剤を組み合わせたもので手段は縄状ゴムリング全体にゼリー状潤滑剤を塗布し結んだ両端のいずれかを引くことによりリングを解除させることを手段とする。【０００７】  本考案の、０００５の解決では石油製品及びアルコール性のものはゴム類を変質させ皮膚にも影響があが縄状ゴムリングとゼリー状潤滑剤を組み合せることを手段とする。
【考案の効果】
【０００８】  本考案の０００６の要領で制作した縄状ゴムリングは弾力性があるから吸引陰圧器具等に装着するにも陰茎の根部の締め付けにも効果が上りゼリー状潤滑剤を塗布した縄状ゴムリングの結んだ一端を引くと結び目が移動し潤滑剤が摩擦面に付いて滑るので容易に結び目及びリング状が解除される。【０００９】  課題とした０００５のゴム製品の変質はゼリー状潤滑剤においては全く変質がなく、他に悪影響が無く異臭も着色もなく水性でないので所定の箇所以外に塗布状態が及ぶことがなく塗布箇所も拭き取ると他に影響を及ぼさない。【００１０】  本考案は、ゼリー状潤滑剤が揮発性も少なく塗布してからただちに乾燥することもなく相当時間効果が持続される。
【考案を実施するための最良の形態】
【実施例】
【００１１】  本考案は、縄状ゴムリングの結び目及び同リングの解除に潤滑剤塗布を用いることで縄状ゴムリングの固い結び目が０００８及び００１０の理由で身障者を含め万人が簡単に解除できる、本考案の実施例は特に近年は陰ではあるが国民的課題となっているＥＤ問題を解決する手段の器具の部品として使われる、リングは個人の手製であるのでそのサイズも自由であり解除後の洗浄も完全にでき衛生的でありゴムリングと潤滑剤の組み合わせは良好な効果を得た、日常生活でも物品の結束されたゴム紐も結び目を持ち上げ物品と紐の間にビニール等の布状のものを敷いて潤滑剤を塗布すると物品を汚さず紐状のゴムの結びの解除にも引用される。
【図面の簡単な説明】
【００１２】
【図１】縄状のゴムリングの正面図。
【図２】チューウブ入りの潤滑剤。
【図３】縄状ゴムリングの製作過程の実写。
【図４】紐状ゴムチュウブの原単体図
【符号の説明】
【００１３】    Ａ  縄状のゴムリングの本体
Ｂ  結んだゴムリングの両端
Ｃ  縄状のゴムリングの結び目
Ｄ  紐状のゴムのチューブ
Ｅ  ゴムリング作りの一回目の結び
Ｆ  ゴムリング作りの二回目の結び
Ｇ  ゴムリング作りの二回目で本結び
Ｋ  潤滑剤入りの容器のチュウブ側面図
Ｌ  潤滑剤入りの容器のチュウブ正面図
【手続補正書】
【提出日】平成18年10月3日(2006.10.3)
【手続補正１】
【補正対象書類名】図面
【補正対象項目名】全図
【補正方法】変更
【補正の内容】
【図１】
0003136454.tif 000011
【図２】
0003136454.tif 000012
【図３】
0003136454.tif 000013
【図４】
0003136454.tif 000014
【手続補正書】
【提出日】平成19年1月27日(2007.1.27)
【手続補正１】
【補正対象書類名】明細書
【補正対象項目名】全文
【補正方法】変更
【補正の内容】
【考案の詳細な説明】
【技術分野】
【０００１】  陰茎勃起不全の対策で使う勃起器具は陰茎に血液を充満させる手段として外部からの陰圧によるものが多いが勃起後に陰茎に充満した血液を滞留させる方法は今日でも課題である、この考案は吸引陰圧して勃起した陰茎の根部を縄状ゴムリングで拘束するがそのゴムリングの結び目は効果を確実にするため堅固が必要であるのでその結び目を簡単に解除し取り外しを可能にすることに関する。
【背景技術】
【０００２】  陰茎勃起器具で吸引陰圧し勃起が完了した後陰茎の根部を絞め付けるリングに付いてその方法にはサイズが一定なもの及び使用１回限り使い捨て等がある。
特開平０７−０５１３１２．特開平１１−０４７１７９．特開平１１−１３７５８８．実登３０８１３１３．実開平０６−０１３８１６
【考案の開示】
【考案が解決しようとする課題】
【０００３】
【０００４】  本考案は、０００２に記したものはリングのサイズが一定であり、高度なものである故に複雑である、縄状ゴムリングはサイズを各人が求めるサイズに手製で作成するが結び目を簡単に解除し取り外しに切断をせず同物品を多数回使用できることを課題とする。【０００５】  上記の課題を解決するために、手製の縄状ゴムリングを取り外しに際してリングの変質を避けることを課題とする。
【課題を解決するための手段】
【０００６】  ０００４の課題を解決するために請求項１の縄状ゴムリングに潤滑剤を塗布することで縄状ゴムリングは結んだ両端のいずれかを引くことによりリングを解除させ元の紐状のゴムチューブにもどす特徴がある。【０００７】  ０００５の解決のため塗布する素材はアルコール性のものはゴム類を変質させ皮膚にも影響があるので物品にも人体にも無影響であるゼリー状潤滑剤を縄状ゴムリングに塗ることを手段とする。
【考案の効果】
【０００８】  本考案は、請求の範囲の請求項１の縄状ゴムリングにゼリー状潤滑剤を塗布したことで縄状ゴムリングの結び目の一端を引くと結び目が移動し潤滑剤が摩擦面に付いて滑るので容易に結び目が緩みリング状が解除される。【０００９】  課題とした０００５のゴム製品の変質はゼリー状潤滑剤においては全く変質がなく、異臭も着色もなく水性でないので所定の箇所以外に塗布状態が及ぶことがなく他に影響を及ぼさない。【００１０】  ゼリー状潤滑剤は揮発性も少なく塗布してからただちに乾燥することもなく相当時間潤湿効果が持続される。
【考案を実施するための最良の形態】
【実施例】
【００１１】  図１の縄状ゴムリングの全体と特に結び目は入念に潤滑剤を塗布されると縄状ゴムリングの固い結び目が０００８及び００１０の効果で簡単に解除され身障者を含め万人が簡単に解除できる、本考案の実施例は特に近年は内面的ではあるが国民的課題となっているＥＤ問題を解決する手段の器具の部品として使われるが、この考案のリングは複数本で出来ており収縮力があり、リングは個人の手製であるのでそのサイズも我流である、解除されると紐状に戻るため使用後の洗浄も完全にでき衛生的であり、縄状ゴムリングと潤滑剤の組み合わせは良好な効果を得ており、視野が効かなくても指先だけで作業が出来る特徴がある。
【図面の簡単な説明】
【００１２】
【図１】縄状のゴムリングの正面図。
【図２】縄状ゴムリングの説明。
【符号の説明】
【００１３】    Ａ  縄状ゴムリング一回目結び
Ｂ  縄状ゴムリング二回目結び
Ｃ  縄状ゴムリングの本結
【手続補正書】
【提出日】平成19年1月27日(2007.1.27)
【手続補正１】
【補正対象書類名】実用新案登録請求の範囲
【補正対象項目名】全文
【補正方法】変更
【補正の内容】
【実用新案登録請求の範囲】
【請求項１】
紐状のゴムチューブを所定の直径の大きさに一回結びその先端で結び目の反対側で本結びに固く結ぶと縄状の形状を有するゴムリングが出来る、この縄状ゴムリングの結びを元の紐状の形状に容易に戻すために縄状ゴムリングにゼリー状潤滑剤を塗布されることにより容易に結びが解除されることを特徴する。
【手続補正書】
【提出日】平成19年1月27日(2007.1.27)
【手続補正１】
【補正対象書類名】図面
【補正対象項目名】全図
【補正方法】変更
【補正の内容】
【図１】
0003136454.tif 000015
【図２】
0003136454.tif 000016
【手続補正書】
【提出日】平成19年4月13日(2007.4.13)
【手続補正１】
【補正対象書類名】実用新案登録請求の範囲
【補正対象項目名】全文
【補正方法】変更
【補正の内容】
【実用新案登録請求の範囲】
【請求項１】
紐状のゴムチューブを所定の直径の大きさに一回結びその先端で結び目の反対側で本結びに固く結ぶと縄状の形状を有するゴムリングが出来る、この縄状ゴムリングの結びを解除して元の紐の形状に容易に戻すために縄状ゴムリングにゼリー状潤滑剤を塗布されることにより容易に結びが解除されることを特徴とする縄状ゴムリング。
【手続補正書】
【提出日】平成19年4月13日(2007.4.13)
【手続補正１】
【補正対象書類名】明細書
【補正対象項目名】全文
【補正方法】変更
【補正の内容】
【考案の詳細な説明】
【技術分野】
【０００１】  陰茎勃起不全の対策で使う勃起器具は陰茎に血液を充満させる手段として外部からの陰圧によるものが多いが勃起後に陰茎に充満した血液を滞留させる方法は今日でも課題である、本考案は吸引陰圧して陰茎に血液を充満させ勃起した陰茎の根部を拘束し血液の戻りを抑制し勃起状態を持続させる目的の縄状ゴムリングに潤滑ゼリーを以って陰茎に装着した縄状ゴムリングを容易に取り外すことに関する。
【背景技術】
【０００２】  従来の陰茎勃起器具で吸引陰圧し勃起が完了した後陰茎の根部を絞め付けるリングに付いてはサイズが一定なもの又は使用が１回限りの使い捨て等がある。特開平０７−０５１３１２．特開平１１−０４７１７９．特開平１１−１３７５８８．実登３０８１３１３．実開平０６−０１３８１６
【考案の開示】
【考案が解決しようとする課題】
【０００３】
【０００４】  本考案は、０００２に記したもののようにリングのサイズが一定であったり、器具が高度なものである故に取り扱いが複雑である、この考案の縄状ゴムリングはサイズを各人が求めるサイズに即製し使用後は陰茎から簡単に取り外しができることを課題とする。【０００５】  上記の手製の縄状ゴムリングを取り外す際には切断をせず同物品を多数回使用できること及びリングの変質を避けることを課題とする。
【課題を解決するための手段】
【０００６】  本考案は０００１の目的のため０００４の課題を解決するのに一本の紐状のゴムチューブで求めるサイズの縄状ゴムリングを使用時に即製し、そのリングの結び目は緩まないように堅固に結んで陰茎の根部に装着するが使用後陰茎から取り外すため結びを解除して取り外す手法、その手法は縄状ゴムリングの作製のため紐状ゴムチュウブで図２の手順で結んで出来た縄状ゴムリング全体に潤滑剤ゼリーを塗布する、使用後に作製時に両端に出ているゴムチュウブの端末のいずれかを引くと縄状ゴムリングは解除し元の紐状ゴムチューブに容易に戻る手法を特徴とする。【０００７】  ０００５の解決のため塗布する素材はアルコール性のものはゴム類を変質させ皮膚にも影響があるので物品にも人体にも無影響であるゼリー状潤滑剤を縄状ゴムリングに塗ることを手段とする。
【考案の効果】
【０００８】  本考案は、請求の範囲の請求項１を満たすため０００６の手段をもって縄状ゴムリングに潤滑剤ゼリーを塗布縄状ゴムリングの制作の際の結びの両端のいずれか一端を引くと結び目が軽く移動し潤滑剤が摩擦面に付いて滑るので容易に結び目が緩みリング状が解除され元の紐状のゴムチューブに戻る。【０００９】  課題とした０００５のゴム製品の変質はゼリー状潤滑剤においては全く変質がなく、異臭も着色もなく水性でないので所定の箇所以外に塗布状態が及ぶことがなく他に影響を及ぼさない。【００１０】  ゼリー状潤滑剤は揮発性も少なく塗布してからただちに乾燥することもなく縄状ゴムリングは長時間湿潤状態が持続される。
【考案を実施するための最良の形態】
【実施例】
【００１１】  図１の縄状ゴムリングの全体と特に結び目は入念に潤滑剤を塗布されると縄状ゴムリングの固い結び目が０００８及び００１０の効果で簡単に解除され身障者を含め万人が簡単に解除できる、本考案の実施例は特に近年は内面的ではあるが国民的課題となっているＥＤ問題を解決する手段の器具の部品として使われるが、この考案のリングは２重に出来ており単体と比べ収縮力があり、リングは個人の手製であるのでそのサイズも我流である、解除されると紐状に戻るため使用後の洗浄も完全にでき衛生的であり、縄状ゴムリングと潤滑剤の組み合わせは良好な効果を得ており、視野が効かなくても指先だけで作業が出来る特徴がある。
【図面の簡単な説明】
【００１２】
【図１】縄状のゴムリングの実物大写真。
【図２】縄状ゴムリングの制作過程の説明。
【符号の説明】
【００１３】    Ａ  紐状ゴムチュウブを作製ためサイズを決めて一回目の結び写真。
Ｂ  その反対側で二回目を結ぶと縄状ゴムリングの原型が出来る写真。
Ｃ  二回目の結びの位置で更に結ぶと本結びになり完成された写真。
【手続補正書】
【提出日】平成19年4月13日(2007.4.13)
【手続補正１】
【補正対象書類名】図面
【補正対象項目名】全図
【補正方法】変更
【補正の内容】
【図１】
0003136454.tif 000017
【図２】
0003136454.tif 000018